(57)【要約】【課題】建物と一体に壁を設けて室内を複数に間仕切ると、後から間仕切りを変更したいと思っても容易に変更できるものではない。一方、従来のシステム家具はあくまでも家具であって、室内の壁とは明らかに異なることから、壁面のインテリアの統一性に欠けるだけでなく、壁が通常担っている耐震、遮音、遮光機能などは期待できない。【解決手段】有る程度厚さの有る間仕切りユニット１、３、５、７、９、１１と、前記間仕切りユニットの天板３３を昇降可能にする天板昇降手段とを備え、室内配置時には、前記間仕切りユニットはその天板が室内の天井面（Ｔ）に圧接した状態で自立して擬似壁をなしている間仕切り装置。複数の間仕切りユニットを組み合わせて対角線距離を出すように配置すれば安定的に自立する。間仕切りユニット内の空間は収納部にも利用できる。【選択図】        図１
2009121170.tif 000002
【特許請求の範囲】
【請求項１】
有る程度厚さの有る間仕切りユニットと、前記間仕切りユニットの天板を昇降可能にする天板昇降手段とを備え、室内配置時には、前記間仕切りユニットはその天板が室内の天井面に圧接した状態で自立して擬似壁をなしていることを特徴とする間仕切り装置。
【請求項２】
請求項１に記載した間仕切り装置において、
間仕切りユニットは、正面の上部が開閉可能に構成された箱状のユニット本体と、前記ユニット本体に載置される天板部とからなり、
天板昇降手段は、前記ユニット本体の上板に設けられたナット部材と、前記ナット部材の雌ネジと螺合する雄ネジを有するネジ部材とによって構成され、
前記天板部の天板は前記上板から突設した前記ネジ部材の頂部に当接支持されて前記ユニット本体上に載置され、前記ネジ部材の螺進退により前記天板が昇降することを特徴とする間仕切り装置。
【請求項３】
請求項２に記載した間仕切り装置において、
天板部は下面が開口した箱状になっており、
ユニット本体の上板はユニット本体の背板および側板の上端より下方の位置に設けられて凹部が形成されており、天板部の側板は前記ユニット本体の凹部に収容されていることを特徴とする間仕切り装置。
【請求項４】
請求項１から３のいずれかに記載した間仕切り装置において、  
間仕切りユニットの厚さ寸法は配置される室内の壁の厚さ寸法とほぼ同じであることを特徴とする間仕切り装置。
【請求項５】
請求項１から４のいずれかに記載した間仕切り装置において、
間仕切りユニットの天板と室内天井面の間、地板と室内床面との間、側板と室内側壁との間、または側板どうしの間にパッキンが着脱自在に設けられていることを特徴とする間仕切り装置。
【請求項６】
請求項１から５のいずれかに記載した間仕切り装置において、
複数の間仕切りユニットの組み合わせが連結されてＴ字形またはＬ字形に配置されていることを特徴とする間仕切り装置。
【請求項７】
請求項１から６のいずれかに記載された間仕切り装置において、
間仕切りユニットに収納部が設けられていることを特徴とする間仕切り装置。
【発明の詳細な説明】
【技術分野】
【０００１】
本発明は、室内の間仕切り装置に係り、特に擬似壁をなす間仕切り装置に関するものである。
【背景技術】
【０００２】
建物と一体に壁を設けて室内を複数に間仕切ると、オフィスの引越し、居住者のライフスタイルや家族構成などの変化に対応して、使い勝手を良くするために後から間仕切りを変更したいと思っても容易に変更できるものではない。
一方、従来から、室内を間仕切るシステム家具は市販されているが、そのようなシステム家具はあくまでも家具であって、室内の壁とは明らかに異なることから、壁面のインテリアの統一性に欠けるだけでなく、壁が通常担っている耐震、遮音、遮光機能などは期待できない。
【０００３】
【特許文献１】特開２００３−１９０４７号公報
【発明の開示】
【発明が解決しようとする課題】
【０００４】
本発明は、上記した課題を解決するために、室内の間仕切りを容易に変更でき、上記したような耐震、遮音、遮光機能などを有する擬似壁として使用できる間仕切り装置を提供することを目的とする。
【課題を解決するための手段】
【０００５】
上記課題を解決するために、請求項１の発明は、有る程度厚さの有る間仕切りユニットと、前記間仕切りユニットの天板を昇降可能にする天板昇降手段とを備え、室内配置時には、前記間仕切りユニットはその天板が室内の天井面に圧接した状態で自立して擬似壁をなしていることを特徴とする間仕切り装置である。
【０００６】
請求項２の発明は、請求項１に記載した間仕切り装置において、間仕切りユニットは、正面の上部が開閉可能に構成された箱状のユニット本体と、前記ユニット本体に載置される天板部とからなり、天板昇降手段は、前記ユニット本体の上板に設けられたナット部材と、前記ナット部材の雌ネジと螺合する雄ネジを有するネジ部材とによって構成され、前記天板部の天板は前記上板から突設した前記ネジ部材の頂部に当接支持されて前記ユニット本体上に載置され、前記ネジ部材の螺進退により前記天板が昇降することを特徴とする間仕切り装置である。
【０００７】
請求項３の発明は、請求項２に記載した間仕切り装置において、天板部は下面が開口した箱状になっており、ユニット本体の上板はユニット本体の背板および側板の上端より下方の位置に設けられて凹部が形成されており、天板部の側板は前記ユニット本体の凹部に収容されていることを特徴とする間仕切り装置である。
【０００８】
請求項４の発明は、請求項１から３のいずれかに記載した間仕切り装置において、間仕切りユニットの厚さ寸法は配置される室内の壁の厚さ寸法とほぼ同じであることを特徴とする間仕切り装置である。
【０００９】
請求項５の発明は、請求項１から４のいずれかに記載した間仕切り装置において、間仕切りユニットの天板と室内天井面の間、地板と室内床面との間、側板と室内側壁との間、または側板どうしの間にパッキンが着脱自在に設けられていることを特徴とする間仕切り装置である。
【００１０】
請求項６の発明は、請求項１から５のいずれかに記載した間仕切り装置において、複数の間仕切りユニットの組み合わせが連結されてＴ字形またはＬ字形に配置されていることを特徴とする間仕切り装置である。
【００１１】
請求項７の発明は、請求項１から６のいずれかに記載された間仕切り装置において、間仕切りユニットに収納部が設けられていることを特徴とする間仕切り装置である。
【発明の効果】
【００１２】
本発明の間仕切り装置を使用すれば、室内の間仕切りを容易に変更できる上に、外観だけでなく、耐震、遮音、遮光機能などの壁機能も実質的に担う擬似壁として室内に配置できる。
【発明を実施するための最良の形態】
【００１３】
本発明の実施の形態に係る間仕切り装置を、図面に従って説明する。
図１、図２は間仕切り装置を複数組み合わせて室内に配置した状態を示す図である。この実施の形態では、間仕切りユニット１、３、５、７、９、１１は有る程度は厚さのある壁状に形成されており、これらが背の高い家具ユニット４７を介してＬ字状に配列されている。さらに背の低い家具ユニット４９が連結されており、それらのユニット群により室内が受付・待合スペースと事務スペースとに間仕切りされている。隣り合う間仕切りユニット１、３等と家具ユニット４７等は互いに図示しない連結手段により連結されている。
図１では左上方側が受付・待合スペースに、右下方側が事務スペースになっている。
【００１４】
間仕切りユニット１、３等は上記したように壁状に形成されており、配置時には、高さ寸法（ｈ）はその室内の床面（Ｆ）から天井面（Ｔ）までの高さ寸法とほぼ同じに調整されている。厚さ寸法（ｔ）は配置される室内と廊下とを間仕切りする実際の壁面（Ｓ）の厚さ寸法とほぼ同じに設定されている。一方、幅寸法（ｗ）は、間仕切りユニット１、３等によってｗ１、ｗ２、ｗ３等と様々になっている。
間仕切りユニット１、３等は、ユニット本体の上部ユニット１３、下部ユニット２９のうちの上部ユニット１３と天板部３１の基本的構造は共通しているので、以下で、代表として間仕切りユニット５、７、９に着目して、図３、図４、図５にしたがって上部ユニット１３と天板部３１の基本的構造を説明する。
【００１５】
間仕切りユニット５、７、９のユニット本体は、背の低い上部ユニット１３と背の高い下部ユニット２９が上下に積層され連結されて一体になっている。上部ユニット１３は、地板（図示せず）、背板１７、左右二枚の側板１９、１９および上板２１が図示しない連結手段により連結されて箱状に組み立てられている。
上板２１は、背板１７および左右二枚の側板１９、１９の間に内嵌されてそれらの上端より若干下方の位置で固定されている。従って、上板２１上には背板１７と左右二枚の側板１９、１９に囲まれた浅い凹部２３が形成されている。
一方の側板１９の前側端部には、扉としての化粧板２５が図示しないヒンジで取り付けられており、その化粧板２５により上記した上板２１と地板との間の空間が正面で閉じられる。化粧板２５には開閉するために突出した取手片２７が取り付けられている。
【００１６】
天板部３１は下面が開口した箱状に組み立てられており、その天板３３が間仕切りユニット５、７、９の天板としての機能を担っている。
天板３３の縦横寸法は、側板３５が上板２１上に形成された凹部２３に摺動可能に収容されるように設定されている。従って、天板部３１を上板２１に載置すると側板３５の平面移動が凹部２３により規制される。
【００１７】
図４は天板昇降手段の構造を説明するための断面図である。
符号３７は筒状のナット部材を示し、このナット部材３７は上板２１に形成された連通穴に内嵌されて固定されている。このナット部材３７の内周面には雌ネジが形成されている。ナット部材３７は、上板２１上の重心バランスの取れた位置に２つ取り付けられている。
符号３９はネジ部材を示し、このネジ部材３９の軸部４１の外周面にはナット部材３７の雌ネジと螺合する雄ネジが形成されている。ネジ部材３９の頭部４３は頂部が平坦な円板状になっている。この軸部４１が上板２１から突設するようナット部材３７に挿し込まれている。
【００１８】
天板部３１の天板３３は裏面側が上記した２つのネジ部材３９の頭部４３に当接されて安定的に支持される。
従って、その支持状態で、ネジ部材３９をナット部材３７に対して相対的に螺進退させると、ネジ部材３９の頭部４３が上下方向に移動し、それに従って天板部３１の天板３３が昇降することになる。昇降の際には、天板部３１の側板３５が凹部２３を構成する左右二枚の側板１９に対して摺動するので位置ズレしない。
天板部３１の天板３３は昇降調整されて室内の天井面（Ｔ）に圧接される。従って、間仕切りユニット５、７、９がそれぞれ自立した状態で室内の床面（Ｆ）と天井面（Ｔ）との間に安定的に縦架される。
【００１９】
符号４５はシート状のゴム製パッキンを示し、このパッキン４５は間仕切りユニット５、７、９の天板部３１の天板３３と室内の天井面（Ｔ）との間、隣り合う天板部３１どうしの側板３５の間、ユニット本体の下部ユニット２９の地板と室内の床面（Ｆ）との間、上部ユニット１３の側板１９とそれに連続した下部ユニット２９の側板と壁面（Ｓ）との間に介そうされて隙間を埋めている。
図５の事務スペース側から見た正面図に示すように、パッキン４５が介そうされることで、受付・待合スペース側から事務スペース側に向かって天井面（Ｔ）が傾斜して低くなっていたり、床面（Ｆ）に凹凸があったりしても、天井面（Ｔ）と床面（Ｆ）との間に間仕切りユニット１、３等が一層安定的に自立する。
また、パッキン４５が介そうされることで、滑り止め、揺れ止め効果が得られるので、間仕切りユニット１、３等がそれぞれ天井面（Ｔ）と床面（Ｆ）との間で安定的に縦架される。さらに、防音、遮光効果も得られる。
【００２０】
間仕切り装置を使用した室内の間仕切りの組立・設置作業について説明する。
各間仕切りユニット１、３等の箱状に組み立てられた上部ユニット１３を寝かせ、天板部３１を最大限降ろした状態、すなわち側板３５の下端を上部ユニット１３の上板２１に当接させた状態で載せておく。
先ず、室内の床面（Ｆ）の所定位置にパッキン４５を置き、事務スペース側の地板がパッキン４５に載るように間仕切りユニット１のユニット本体を壁面（Ｓ）に当接させて立たせる。次に、化粧板２５を開いてネジ部材３９を螺進行させて天板部３１の天板３３を昇らせて室内の天井面（Ｆ）に圧接させて固定する。
他の間仕切りユニット３、５、７、９、１１も順次同じように設置する。
間仕切りユニット９と１１の設置の間には家具ユニット４７を設置し、間仕切りユニット１１を設置した後に家具ユニット４９を設置する。家具ユニット４９は室内の壁面（Ｓ）に当接させる。
間仕切りユニット１、３等と家具ユニット４７、４９を全て設置し終わったら、
間仕切りユニット５、７、９の天板部３１の天板３３と室内の天井面（Ｔ）との間、隣り合う天板部３１どうしの側板３５の間、上部ユニット１３の側板１９とそれに連続した下部ユニット２９の側板と壁面（Ｓ）との間にも、パッキン４５を挿入して固定する。
これにより、組立・設置作業を終了する。
【００２１】
上記した構造の間仕切りユニット１、３等は、比較的厚さ寸法の小さい擬似壁をなしているが、この実施の形態の配置レイアウトでは、上記した構造の間仕切りユニット１、３等が、本棚様の家具ユニット４７を挟んでＬ字状に配置されてある程度の長さの対角線距離が生まれるので、地震などの揺れに対して一層安定的に自立できる。
【００２２】
間仕切りユニット１、９は、正面が事務スペース側を向いて設置されており、下部ユニット２９は事務スペース側に開口する箱状の収納部になっている。その収納部には複数の棚板５１と各棚板に対応して安全バー５３が設けられており、飾り棚として収納空間を有効利用できる。間仕切りユニット１１は、正面が反対の受付・待合スペース側を向いて設置されており、下部ユニット２９は上記と同様に複数の棚板と各棚板に対応して安全バーが設けられており、これも飾り棚として収納空間を有効利用できる。
間仕切りユニット３、５は、正面が事務スペース側を向いて設置されており、下部ユニット２９は取手片６１の設けられた化粧板６３で閉じられる収納部になっている。間仕切りユニット３、５は擬似壁として構成されているので、厚さ寸法（ｔ）は小さいが、例えば、その背板に前方に突出する吊りフックを取り付けることにより、１、２枚程度の衣服を正面または背面を向かせて収納でき、クローゼットとして収納空間を有効利用できる。
間仕切りユニット７の下部ユニット２９は側板および天板により逆コの字状に組み立てられており、受付・待合スペース側と事務スペース側との間の出入口として利用される。
【００２３】
背の高い家具ユニット４７は、間仕切りユニット９と１１の連結部材として使用されている。さらに、事務スペース側を向いて開口しており、そこには複数の棚板５５や折畳み式の台板５７が設けられている。従って、事務スペース側では飾り棚や机として有用利用できる。
背の低い家具ユニット４９は、受付カウンターとして使用される。さらに、事務スペース側を向いて開口しており、縦板と横板とからなる仕切り板５９で格子状に仕切りされており、本棚として有用利用できる。
【００２４】
また、室内と廊下とを間仕切りする実際の壁面（Ｓ）の厚さ寸法と間仕切りユニット１、３等のユニット本体の厚さ寸法（ｔ）はほぼ同じに設定されており、しかも間仕切りユニット７、９、１１の上部ユニット１３の側板１９とそれに連続する下部ユニット２９の側板は露出して見える。その一方で、室内の天井面（Ｔ）に天板部３１の天板３３を圧接させたときにも、ネジ部材３９が天板部３１の側板３５に隠れて見えない。従って、ユニット本体が通常の固定壁のように見える。
【００２５】
以上、本発明の実施の形態を説明したが、本発明の具体的構成は上記の実施の形態に限定されるものではなく、本発明の要旨から外れない範囲での設計変更があっても本発明に含まれる。
例えば、間仕切りユニットはＬ字状でなく、Ｔ字状に配置してもある程度の長さの対角線距離が生まれるので、地震などの揺れに対して一層安定的に自立できる。
なお、天板の幅寸法を厚さ寸法より大きくすれば、天板の対角線の長さ寸法が大きくなるので、間仕切りユニットを一直線状に配置しても安定的に自立できる。
ナット部材の数は、ユニット本体の幅寸法に応じて任意に設定可能である。
天板部は必ずしも箱状である必要は無く、天板のみからなる単純な板状でもよい。
棚板等の取り付け位置や枚数も、収納物の大きさに応じて任意に設定可能である。また、ユニット本体を壁体として利用してテーブルの一端をユニット本体に貫入固定させたり、ユニット本体に設けられたスリットに嵌めて支持させたりしてもよい。さらに、開口部に代わってドア部を設けてもよい。
さらに、間仕切りユニットの下部ユニットの扉を観音開きタイプとし、鏡をはめ込むことで観音開きの三面鏡として使用することも考えられる。
【産業上の利用可能性】
【００２６】
本発明の間仕切り装置を使用すれば、室内の間仕切りを容易に変更でき、しかも耐震、遮音、遮光機能などを有する擬似壁として使用できるので、室内の間仕切り変更の自由度が飛躍的に増大する。
【図面の簡単な説明】
【００２７】
【図１】本発明の間仕切り装置の配置状態を示す斜視図である。
【図２】図１の室内レイアウトの平面図である。
【図３】図１を構成する間仕切りユニットを示す斜視図である。
【図４】図１の間仕切り装置の天板昇降手段の構造を説明する断面図である。
【図５】図１の間仕切り装置の事務スペース側から見た正面図である。
【符号の説明】
【００２８】
１、３、５、７、９、１１‥‥間仕切りユニット
１３‥‥上部ユニット                １７‥‥背板
１９‥‥側板                        ２１‥‥上板
２３‥‥凹部                        ２５‥‥化粧板
２７‥‥取手片
２９‥‥下部ユニット
３１‥‥天板部                      ３３‥‥天板
３５‥‥側板
３７‥‥ナット部材                  ３９‥‥ネジ部材
４１‥‥軸部                        ４３‥‥頭部
４５‥‥パッキン
４７、４９‥‥家具ユニット
ｔ：間仕切りユニットの厚さ寸法
ｈ：間仕切りユニットの高さ寸法
ｗ：間仕切りユニットの幅寸法
Ｔ‥‥室内天井面        Ｆ‥‥室内床面        Ｓ‥‥室内壁面
【図１】
2009121170.tif 000003
【図２】
2009121170.tif 000004
【図３】
2009121170.tif 000005
【図４】
2009121170.tif 000006
【図５】
2009121170.tif 000007